(57)【特許請求の範囲】
【請求項１】
書込可能なディスクの複数の記録領域に情報データを記録手段によって互いに異なる記録条件にて記録する情報記録装置であって、
前記ディスクに記録させるべき前記情報データを記憶する記憶手段と、
前記記憶手段に記憶された前記情報データをバッファメモリに転送して保存させ、前記バッファメモリに保存された前記情報データを順次読み出し、前記記録手段によって前記ディスクに対してその読み出した前記情報データを記録させる情報記録制御手段と、
前記バッファメモリについてバッファアンダーランを検出した後、若しくはバッファアンダーランが発生するだけの時間経過を検出した場合に前記記録手段の記録条件を切り換える記録条件切換手段と、を備えたことを特徴とする情報記録装置。
【請求項２】
前記記録手段の記録条件は、前記ディスクが追記型光ディスクである場合には、前記複数の記録領域毎のレーザビームの記録パワー及びバイアスパワーによって設定され、前記ディスクが書き換え可能型光ディスクである場合には、前記複数の記録領域毎の前記レーザビームの記録パワー、消去パワー及びバイアスパワーによって設定されることを特徴とする請求項１記載の情報記録装置。
【請求項３】
前記記録条件切換手段は、前記複数の記録領域のうちのいずれか１の記録領域の最終アドレスを検出してから前記バッファアンダーランを引き起こすだけの時間経過を検出した場合に前記記録手段の記録条件を切り換えることを特徴とする請求項１記載の情報記録装置。
【請求項４】
前記記録条件切換手段は、前記バッファアンダーランを検出する検出手段を有し、前記複数の記録領域のうちのいずれか１の記録領域の最終アドレスの検出後の前記検出手段による前記バッファアンダーランの検出に応じて前記記録手段の記録条件を切り換えることを特徴とする請求項１記載の情報記録装置。
【請求項５】
書込可能なディスクの複数の記録領域に情報データを記録手段によって互いに異なる記録条件にて記録する情報記録方法であって、
記憶手段に予め記憶された前記情報データをバッファメモリに転送して保存させ、前記バッファメモリに保存された前記情報データを順次読み出し、前記記録手段によって前記ディスクに対してその読み出した前記情報データを記録させ、
前記バッファメモリについてバッファアンダーランを検出した後、若しくはバッファアンダーランが発生するだけの時間経過を検出した場合に前記記録手段の記録条件を切り換えることを特徴とする情報記録方法。
【発明の詳細な説明】
【０００１】
【発明が属する技術分野】
本発明は、書込可能なディスクの複数の記録領域に情報データを記録手段によって互いに異なる記録条件にて記録する情報記録装置及び方法に関する。
【０００２】
【従来の技術】
現在、情報データの書込が可能な光ディスクとして、ＣＤ−Ｒ、ＣＤ−ＲＷ、ＤＶＤ−Ｒ、ＤＶＤ−ＲＷ、ＤＶＤ−ＲＡＭ等が知られている。更に、このような光ディスクに対して一般ユーザが任意の情報データを記録することができる光ディスクレコーダ等の情報記録装置が既に製品化されている。
【０００３】
【発明が解決しようとする課題】
かかる情報記録装置によって記録可能な光ディスクにデータを記録すると、様々な記録特性を有する記録済みの光ディスクが作成されることになる。これは情報記録装置の記録性能の違いや光ディスク自体の特性誤差があるためである。一方、光ディスクを再生するＤＶＤプレーヤの如きディスクプレーヤにおいては様々な記録特性を有する記録済みの光ディスクを再生することができる必要がある。よって、ディスクプレーヤのメーカではディスクプレーヤの再生性能を評価するための標準となるテストディスクが求められている。
【０００４】
テストディスクを作成する際には複数の記録領域に情報データをＤＶＤライタ等の記録手段によって互いに異なる記録条件にて記録する必要があるので、記録手段の記録制御が難しいという問題点が存在する。
そこで、本発明の目的は、複数の記録領域に情報データを記録手段によって互いに異なる記録条件にて適切に記録することができる情報記録装置及び方法を提供することである。
【０００５】
【課題を解決するための手段】
本発明の情報記録装置は、書込可能なディスクの複数の記録領域に情報データを記録手段によって互いに異なる記録条件にて記録する情報記録装置であって、ディスクに記録させるべき情報データを記憶する記憶手段と、記憶手段に記憶された情報データをバッファメモリに転送して保存させ、バッファメモリに保存された情報データを順次読み出し、記録手段によってディスクに対してその読み出した情報データを記録させる情報記録制御手段と、バッファメモリについてバッファアンダーランを検出した後、若しくはバッファアンダーランが発生するだけの時間経過を検出した場合に記録手段の記録条件を切り換える記録条件切換手段と、を備えたことを特徴としている。
【０００６】
本発明の情報記録方法は、書込可能なディスクの複数の記録領域に情報データを記録手段によって互いに異なる記録条件にて記録する情報記録方法であって、記憶手段に予め記憶された情報データをバッファメモリに転送して保存させ、バッファメモリに保存された情報データを順次読み出し、記録手段によってディスクに対してその読み出した情報データを記録させ、バッファメモリについてバッファアンダーランを検出した後、若しくはバッファアンダーランが発生するだけの時間経過を検出した場合に記録手段の記録条件を切り換えることを特徴としている。
【０００７】
【発明の実施の形態】
以下、本発明の実施例を図面を参照しつつ詳細に説明する。
図１はＤＶＤ−ＲやＤＶＤ−ＲＷ等の光ディスクに情報データを記録することができる記録装置を示している。この記録装置は、記録機能だけでなく再生機能も有し、図１に示すように、ピックアップ１、アナログ処理回路２、ＤＶＤデコーダ３、ＬＰＰデコーダ４、ＬＤドライバ５、ストラテジ生成回路６、ＤＶＤエンコーダ７、バッファメモリ８、ＣＰＵ９、ＳＣＳＩ−ＩＦ回路１０及びシステムコントローラ１１を備えている。システムコントローラ１１以外の部分はＤＶＤライタとして構成されていいる。
【０００８】
ピックアップ１は図２に示すようにレーザビームを発する半導体レーザ素子２１及び４分割光検出器（図３の符号２２）を有し、スピンドルモータ１２によって回転駆動される光ディスク１３に半導体レーザ素子２１から発射されたレーザビームを照射し、照射したレーザビームの反射ビームを４分割光検出器２２に導く。半導体レーザ素子２１から発射されたレーザビームの一部は光ディスク１３への途中においてフロントモニタ２３に供給される。
【０００９】
４分割光検出器２２は、図３に示すように、光ディスク１３の情報記録トラックの接線に沿った方向と、記録トラックの接線に直交する方向とによって４分割された受光面２２ａ〜２２ｄを有する光電変換素子からなる。その光電変換素子は、情報読取スポットによる光ディスク１３からの反射光を４つの受光面２２ａ〜２２ｄ各々によって受光し、夫々を個別に電気信号に変換したものを受光信号Ｒａ〜Ｒｄとしてアナログ処理回路２に出力する。
【００１０】
アナログ処理回路２は、加算器３１〜３３及びプリピット検出回路３４を有している。加算器３１は受光信号Ｒａ，Ｒｄを加算し、加算器３２は受光信号Ｒｂ，Ｒｃを加算する。すなわち、加算器３１は４分割光検出器２２の受光面２２ａ及び２２ｄによって各々受光されて得られた受光信号Ｒａ及びＲｄ同士を加算して加算受光信号Ｒa+dを出力する。また、加算器３２は４分割光検出器２２の受光面２２ｂ及び２２ｃ各々によって受光されて得られた受光信号Ｒｂ及びＲｃ同士を加算して加算受光信号Ｒb+cを出力する。
【００１１】
加算器３３は加算器３１，３２の各出力信号Ｒa+d，Ｒb+cを加算する。加算器３３の出力信号は読取信号、すなわちＲＦ信号であり、ＤＶＤデコーダ３に供給される。ＤＶＤデコーダ３はＲＦ信号をディジタル化した後、それに対して伸張処理を施すことにより復調して再生信号を出力する。
プリピット検出回路３４は、加算器３１，３２の各出力信号Ｒa+d，Ｒb+cの差を算出して図４に示すようにラジアルプッシュプル信号ＰＰを生成し、ラジアルプッシュプル信号ＰＰを閾値ＴＨによって２値化することにより、光ディスク１３のランドトラック上に形成されているランドプリピット(ＬＰＰ)をプリピット検出信号ＰＰDとして検出し、それをＬＰＰデコーダ４に供給する。ＬＰＰデコーダ４はプリピット検出信号ＰＰDに応じてピックアップ１による光ディスク１３上のレーザビーム照射位置のアドレスをデータとして共通バス１４に出力する。
【００１２】
バス１４には、ＤＶＤデコーダ３、ＬＰＰデコーダ４、ＤＶＤエンコーダ７、ＣＰＵ９及びＳＣＳＩ−ＩＦ回路１０が接続されている。
ＳＣＳＩ−ＩＦ回路１０はシステムコントローラ１１とバス１４とを接続するためのＳＣＳＩインターフェースである。システムコントローラ１１は、例えば、パーソナルコンピュータからなり、光ディスク１３にテストデータとして記録されるべき情報データであるイメージデータをファイル形式にて内部のハードディスク（図示せず）に読み出し自在に保存している。システムコントローラ１１は、光ディスク１３へのデータの記録時には記録開始命令をＳＣＳＩ−ＩＦ回路１０及びバス１４を介してＣＰＵ９に供給すると共にハードディスクからイメージデータを読み出してＳＣＳＩ−ＩＦ回路１０、バス１４及びＤＶＤエンコーダ７を介してバッファメモリ８に転送して保存させる。
【００１３】
ＤＶＤエンコーダ７はデータ記録時にはバッファメモリ８から保存データを順次読み出してエンコードを行い、記録データを作成してストラテジ生成回路６に供給する。ストラテジ生成回路６は記録データの各ビットに従ったマークを光ディスク１３に形成するために記録データの符号変換を行ってライトパルス及びイレーズパルスを生成する。符号変換は後述するが、記録データの“１”又は“０”のビットランに対応した変換である。光ディスク１３がＤＶＤ−ＲＷの場合にはライトパルス及びイレーズパルスを生成するが、ＤＶＤ−Ｒの場合にはライトパルスのみを生成する。ストラテジ生成回路６による生成パルスはＬＤドライバ５に供給される。
【００１４】
ＬＤドライバ５は、半導体レーザ素子２１に記録電流、バイアス電流、消去電流及び再生電流を選択的に供給する回路である。ＬＤドライバ５は、図２に示すように、インターフェース４１、Ｄ／Ａ変換器４２〜４４、電流源４５〜４７、スイッチ４８〜５０、バッファアンプ５１、サンプルホールド回路５２、ＡＰＣ（オートパワーコントローラ）５３及びＶ／Ｉ変換器５４を備えている。
【００１５】
インターフェース回路４１はＣＰＵ９から出力されるディジタルデータであるパワーレベル情報をＤ／Ａ変換器４２〜４４に選択的に供給する。Ｄ／Ａ変換器４２〜４４各々は供給されたディジタルデータをアナログ値に変換して対応する電流源４５〜４７に供給する。電流源４５〜４７はアナログ値で指定されるレベルの電流を出力可能にされている。電流源４５はバイアス電流出力用であり、電流源４５の出力にはスイッチ４８が接続されている。スイッチ４８は切換スイッチであり、電流源４５の出力とＶ／Ｉ変換器５４の出力とのいずれか一方を選択的に半導体レーザ素子２１のアノードに接続させる。スイッチ４８によって電流源４５の出力が選択された時には電流源４５の出力電流であるバイアス電流が半導体レーザ素子２１に供給され、Ｖ／Ｉ変換器５４の出力が選択された時にはＶ／Ｉ変換器５４の出力電流である再生電流が半導体レーザ素子２１に供給される。電流源４６は消去電流出力用であり、電流源４６の出力にはスイッチ４９が接続されている。スイッチ４９はオンオフスイッチであり、オン時に電流源４６の出力を半導体レーザ素子２１のアノードに接続させ、消去電流を半導体レーザ素子２１に中継供給する。電流源４７は記録電流出力用であり、電流源４７の出力にはスイッチ５０が接続されている。スイッチ５０はオンオフスイッチであり、オン時に電流源４７の出力を半導体レーザ素子２１のアノードに接続させ、記録電流を半導体レーザ素子２１に中継供給する。なお、半導体レーザ素子２１のカソードは接地されている。
【００１６】
フロントモニタ２３は上記したように半導体レーザ素子２１から発射されたレーザビームの一部を受光し、その受光強度に応じたレベルの電気信号であるフロントモニタ信号を発生する。フロントモニタ２３の出力にはバッファアンプ５１を介してサンプルホールド回路５２が接続されている。サンプルホールド回路５２は、バッファアンプ５１で増幅されたフロントモニタ信号を所定のタイミングでサンプルして保持する。サンプルホールド回路５２の保持信号はＡＰＣ５３に供給される。ＡＰＣ５３はサンプルホールド回路５２によって保持されたフロントモニタ信号のレベルが基準レベルになるように電圧信号をＶ／Ｉ変換器５４に対して生成する。Ｖ／Ｉ変換器５４はＡＰＣ５３から供給される電圧信号に対応した再生電流を出力する。
【００１７】
光ディスク１３についてデータを書き込み又は読み出すためにトラッキングサーボ、フォーカスサーボ、キャリッジサーボ、チルトサーボ等のサーボ回路１５が情報記録装置には備えられている。ピックアップ１によるディスク１３上の書込位置はＣＰＵ９からの指令に応じてサーボ回路１５によって調整される。
光ディスク１３は図５に示すように、ディスク内周から外周に向けてＰＣＡ(Power Calibration Area)、ＲＭＡ(Recording Management Area)、リードインエリア、データエリア、リードアウトエリアからなるデータ構造を有している。ＰＣＡ及びＲＭＡはＲ情報エリアと呼ばれ、ＰＣＡはレーザビームの記録パワーを決定するときの試し書きを行うエリアであり、ＲＭＡは記録に関する管理情報ＲＭＤを書き込むエリアである。
【００１８】
次に、かかる構成の情報記録装置において、光ディスク１３にテストデータを記録する場合の動作について説明する。
先ず、図６に示すように、システムコントローラ１１は記録条件を設定する（ステップＳ１）。記録条件は光ディスク１３のデータエリアを複数の記録領域（記録領域１、記録領域２、……、記録領域ＭＡｅ）に分けてその複数の記録領域毎に割り当てられる。光ディスク１３がＤＶＤ−Ｒである場合には、図７に示すように複数の記録領域を定めるアドレス、アドレスに対応した経過時間、記録パワー及びバイアスパワーが記録条件として設定される。複数の記録領域各々の記録パワーとバイアスパワーとの比率は同一である。光ディスク１３がＤＶＤ−ＲＷである場合には、図８に示すように複数の記録領域を定めるアドレス、アドレスに対応した経過時間、記録パワー、消去パワー及びバイアスパワーが記録条件として設定される。複数の記録領域各々の記録パワーと消去パワーとの比率は同一である。光ディスク１３がＤＶＤ−ＲＷである場合には、図８の場合にはバイアスパワーは全ての記録領域で同一であるが、図９に示すように、複数の記録領域各々で異なるバイアスパワーを定めても良い。図９の場合には複数の記録領域各々の記録パワーと消去パワーとバイアスパワーとの比率は同一である。ジッタ及びＰＩエラーは記録パワー及びバイアスパワー、ＤＶＤ−ＲＷである場合に更に消去パワーに応じて変化する値である。
【００１９】
記録条件は、キーボードからのユーザの操作入力に応じて設定されるか、予め定められた記録条件についてのデータをユーザの操作入力による選択によって設定される。また、記録条件は複数の記録領域各々で異なる。
記録条件が設定された後、記録開始の操作が上記のキーボード或いはマウスによって行われると（ステップＳ２）、システムコントローラ１１は記録動作を開始する（ステップＳ３）。
【００２０】
記録動作では、図１０に示すように、記録領域ＭＡを１とし（ステップＳ２１）、記録領域ＭＡの記録条件をＳＣＳＩ−ＩＦ回路１０及びバス１４を介してＣＰＵ９に指示する（ステップＳ２２）。記録領域ＭＡは上記の複数の記憶領域のうちのアドレス設定順の１つの領域である。
システムコントローラ１１は記録されるべき情報データとしてイメージデータをハードディスクから読み出してＳＣＳＩ−ＩＦ回路１０、バス１４及びＤＶＤエンコーダ７を介してバッファメモリ８に転送する（ステップＳ２３）。このバッファメモリ８へのイメージデータの転送はブロック単位で行われ、バッファメモリ８は転送されてきたイメージデータを保持する。バッファメモリ８のデータ保持量はＤＶＤエンコーダ７によるバッファメモリ８からのイメージデータの読み出しによって減少するが、このステップＳ２３の実行によってシステムコントローラ１１からのイメージデータが適宜転送され、それは１つの記録領域へのデータ書き込みが終了するまで継続される。
【００２１】
システムコントローラ１１はステップＳ２３の実行後、書込指令をＳＣＳＩ−ＩＦ回路１０及びバス１４を介してＣＰＵ９に供給する（ステップＳ２４）。
ＣＰＵ９は書込指令に応じてＤＶＤライタの動作を開始させる。すなわち、ＬＰＰデコーダ４からバス１４を介して得られる光ディスク１３上のピックアップ１の書込位置のアドレス情報に応じてピックアップ１の書込位置をデータエリアの記録領域ＭＡに移動させる。そして、その記録領域ＭＡに対応した記録パワー、消去パワー及びバイアスパワー各々のパワーレベル情報をＬＤドライバ５に出力する。これは、光ディスク１３が書き換え可能型の光ディスクである場合を示しているが、光ディスク１３が追記型の光ディスクである場合には記録領域ＭＡに対応した記録パワー及びバイアスパワー各々のパワーレベル情報をＬＤドライバ５に出力し、消去パワーは０ｍＷを示すことになる。ＬＤドライバ５ではパワーレベル情報に応じて電流源４５の出力バイアス電流値、電流源４６の出力消去電流値及び電流源４７の出力記録電流値が定まる。切換スイッチ４８が電流源４５側に切り換えられ、電流源４５からバイアス電流が半導体レーザ素子２１に流れる。
【００２２】
また、ＣＰＵ９はＤＶＤエンコーダ７に対してイメージデータの読み込みを指令する。バッファメモリ８に保持されたイメージデータがＤＶＤエンコーダ７によって順次読み出され、更に、エンコーディングされ、記録データとしてストラテジ生成回路６に供給される。ストラテジ生成回路６は記録データを符号変換してイレーズパルス及びライトパルスを生成する。イレーズパルスに応じてスイッチ４９がオンとなり、電流源４６から消去電流がバイアス電流に加算されて半導体レーザ素子２１に流れる。ライトパルスに応じてスイッチ５０がオンとなり、電流源４７から記録電流がバイアス電流に加算されて半導体レーザ素子２１に流れる。これによって半導体レーザ素子２１から記録用のレーザビームが発射され、光ディスク１３へのデータ書込が行われる。
【００２３】
システムコントローラ１１はＬＰＰデコーダ４からバス１４及びＳＣＳＩ−ＩＦ回路１０を介して得られる光ディスク１３上のピックアップ１の書込位置のアドレス情報を読み取り（ステップＳ２５）、そのアドレス情報が記録領域ＭＡの最終アドレスを示しているか否かを判別する（ステップＳ２６）。読み取ったアドレス情報が記録領域ＭＡの最終アドレスを示していない場合には、ステップＳ２３に戻ってそれ以降の動作を繰り返す。読み取ったアドレス情報が記録領域ＭＡの最終アドレスを示している場合には、バッファアンダーランを引き起こすだけの時間待ちを行う（ステップＳ２７）。バッファアンダーランとはバッファメモリ８に保持されたイメージデータが全てＤＶＤエンコーダ７によって読み出されてデータ書込が行われてしまい、バッファメモリ８には保持データが無くなった状態である。バッファアンダーランを引き起こすだけの待ち時間は、ステップＳ２６において読み取ったアドレス情報が記録領域ＭＡの最終アドレスを示していることが判別されているので、例えば、最終アドレス分のデータ書込に相当する時間である。この時間だけ次のステップＳ２８の実行が遅延されるので、現在の記録領域ＭＡの最終アドレスまでをそれに対応した記録条件でイメージデータを確実に書き終えることができる。すなわち、現在の記録領域ＭＡの最終アドレス内で記録条件が切り替わってしまうことが回避される。
【００２４】
ステップＳ２７の実行後、システムコントローラ１１は記録領域ＭＡが最終の記録領域ＭＡeであるか否かを判別する（ステップＳ２８）。ＭＡ≠ＭＡeであるならば、ＭＡに１を加算して次の記録領域ＭＡを求め（ステップＳ２９）、ステップＳ２２に進み、そのステップＳ２２以降の動作を繰り返す。ＭＡ＝ＭＡeであるならば、複数の記録領域へのイメージデータの書き込みが終了したことになる。
【００２５】
光ディスク１３が追記型ディスクのＤＶＤ−Ｒである場合には、記録データが例えば、図１１(a)に示すように８Ｔ（Ｔは単位ビット長）を含む場合には８Ｔのマークを作成するために、図１１(b)に示すように記録データがストラテジ生成回路６によってライトパルス列に変換される。ライトパルスが生成されていない時には電流源４５からバイアス電流が半導体レーザ素子２１に流れる。そのバイアス電流によって半導体レーザ素子２１が発するレーザビームのパワー、すなわちバイアスパワーは図１１(c)に示すようにゼロレベルよりＰｂだけ高いパワーレベルである。ライトパルスが生成されている時には電流源４７から記録電流がバイアス電流に加算されて半導体レーザ素子２１に流れる。その記録電流とバイアス電流との合計電流によって半導体レーザ素子２１が発するレーザビームのパワー、すなわち記録パワーは図１１(c)に示すようにゼロレベルよりＰｏ（Ｐｏ＞Ｐｂ）だけ高いパワーレベルである。
【００２６】
光ディスク１３が書き換え可能型のディスクのＤＶＤ−ＲＷである場合には、記録データが例えば、図１２(a)に示すように８Ｔ（Ｔは単位ビット長）を含む場合には記録データがストラテジ生成回路６によって図１２(b)に示す如きイレーズパルスと、図１２(c)に示す如きライトパルス列とに変換される。イレーズパルスはライトパルス列が生成される直前に生成される。イレーズパルス及びライトパルスのいずれもが生成されていない時には電流源４５からバイアス電流が半導体レーザ素子２１に流れる。そのバイアス電流によって半導体レーザ素子２１が発するレーザビームのパワー、すなわちバイアスパワーは図１２(d)に示すようにゼロレベルよりＰｂだけ高いパワーレベルである。イレーズパルスだけが生成されている時には電流源４６から消去電流がバイアス電流に加算されて半導体レーザ素子２１に流れる。その消去電流とバイアス電流との合計電流によって半導体レーザ素子２１が発するレーザビームのパワー、すなわち消去パワーは図１２(d)に示すようにゼロレベルよりＰｅ（Ｐｅ＞Ｐｂ）だけ高いパワーレベルである。ライトパルスが生成されている時には電流源４７から記録電流がバイアス電流に加算されて半導体レーザ素子２１に流れる。その記録電流とバイアス電流との合計電流によって半導体レーザ素子２１が発するレーザビームのパワー、すなわち記録パワーは図１２(d)に示すようにゼロレベルよりＰｏ（Ｐｏ＞Ｐｅ）だけ高いパワーレベルである。
【００２７】
複数の記録領域への書き込みが全て終了した場合には、システムコントローラ１１は、ＳＣＳＩ−ＩＦ回路１０及びバス１４を介してＣＰＵ９に対して光ディスク１３上のピックアップ１の現在の書込位置に対応した最適の記録パワー、消去パワー及びバイアスパワー各々のパワーレベル変更を指示する（ステップＳ４）。ＣＰＵ９はその変更指示に従って最適パワーレベル情報をＬＤドライバ５に出力する。最適の記録パワー、消去パワー及びバイアスパワーは光ディスク１３の半径位置によって予め定められている。ＬＤドライバ５ではパワーレベル情報に応じて電流源４５の出力バイアス電流値、電流源４６の出力消去電流値及び電流源４７の出力記録電流値が定まる。
【００２８】
システムコントローラ１１は、ＳＣＳＩ−ＩＦ回路１０及びバス１４を介してＣＰＵ９に対して光ディスク１３のリードアウトエリアへのリードアウト情報の書き込みを指示する（ステップＳ５）。ＣＰＵ９は、ピックアップ１の書込位置を光ディスク１３のリードアウトエリアに移動させ、リードアウト情報の書き込みをＤＶＤエンコーダ７に指令する。ＤＶＤエンコーダ７はリードアウト情報に対応した記録データをストラテジ生成回路６に供給し、ストラテジ生成回路６は記録データを符号変換してイレーズパルス及びライトパルスを生成するので、光ディスク１３のリードアウトエリアにリードアウト情報が書き込まれる。
【００２９】
システムコントローラ１１は、リードアウト情報の書き込み終了後、ＳＣＳＩ−ＩＦ回路１０及びバス１４を介してＣＰＵ９に対して光ディスク１３の最内周位置に対応した最適の記録パワー、消去パワー及びバイアスパワー各々のパワーレベル変更を指示する（ステップＳ６）。ＣＰＵ９はその変更指示に従って最適パワーレベル情報をＬＤドライバ５に出力する。そして、システムコントローラ１１は、ＳＣＳＩ−ＩＦ回路１０及びバス１４を介してＣＰＵ９に対して光ディスク１３のＲＭＡへの記録管理情報ＲＭＤの書き込みを指示する（ステップＳ７）。ＣＰＵ９は、ピックアップ１の書込位置を光ディスク１３のＲＭＡに移動させ、ディスクの記録管理情報の書き込みをＤＶＤエンコーダ７に指令する。ＤＶＤエンコーダ７は記録管理情報に対応した記録データをストラテジ生成回路６に供給し、ストラテジ生成回路６は記録データを符号変換してイレーズパルス及びライトパルスを生成するので、光ディスク１３のＲＭＡに記録管理情報ＲＭＤが書き込まれる。
【００３０】
システムコントローラ１１は、記録管理情報ＲＭＤの書き込み終了後、ＳＣＳＩ−ＩＦ回路１０及びバス１４を介してＣＰＵ９に対して光ディスク１３のリードインエリアへのリードイン情報（ファイナライズ情報）の書き込みを指示する（ステップＳ８）。ＣＰＵ９は、ピックアップ１の書込位置を光ディスク１３のリードインエリアに移動させ、光ディスク１２のリードイン情報の書き込みをＤＶＤエンコーダ７に指令する。ＤＶＤエンコーダ７はリードイン情報に対応した記録データをストラテジ生成回路６に供給し、ストラテジ生成回路６は記録データを符号変換してイレーズパルス及びライトパルスを生成するので、光ディスク１３のリードインエリアにリードイン情報が書き込まれる。
【００３１】
記録管理情報ＲＭＤ及びリードイン情報の書き込みがファイナライズ処理である。記録管理情報ＲＭＤのデータとしてはドライブメーカＩＤ、シリアル番号、モデル番号、ストラテジコード、記録パワー、タイムスタンプ等のデータがある。また、リードイン情報のデータとしては、ディスク情報、メーカ情報、ライトストラテジ情報等のデータがある。
【００３２】
システムコントローラ１１は、リードイン情報の書き込み終了後、ＤＶＤライタの動作の停止をＣＰＵ９に対して指令する（ステップＳ９）。以上の動作によって光ディスク１３にはテストディスクとしての記録が行われたことになる。
データエリアにおける複数の記録領域へのデータ記録後、ピックアップ１の現在の書込位置に対応した最適の記録パワー、消去パワー及びバイアスパワーに戻すことにより、光ディスク１３は再生不能なテストディスクになることが防止される。
【００３３】
なお、ステップＳ４及びＳ６各々のパワーレベル変更指示に対してはステップＳ２２の場合と同様に、ＣＰＵ９は光ディスク１３が追記型の光ディスクである場合には１の記録領域に対応した記録パワー及びバイアスパワー各々の最適パワーレベル情報をＬＤドライバ５に出力し、消去パワーは０ｍＷを示すことになる。
【００３４】
図１３は本発明の他の実施例として情報記録装置を示している。図１３の情報記録装置においては、ＤＶＤエンコーダ７にバッファメモリ８についてのバッファアンダーランを検出する検出部７ａが備えられている。その他の構成は図１に示した情報記録装置と同一である。
図１３の構成の情報記録装置においては、図６のステップＳ３の記録動作が図１４に行われる。すなわち、ステップＳ２６において読み取ったアドレス情報が記録領域ＭＡの最終アドレスを示していると判別した場合には、システムコントローラ１１はバッファアンダーラン検出部７ａの検出状態をＤＶＤエンコーダ７、バス１４、そしてＳＣＳＩ−ＩＦ回路１０を介して読み取り、バッファアンダーランが検出されたか否かを判別する（ステップＳ２７ａ）。バッファアンダーランが検出された場合にはステップＳ２８に進む。その他の記録動作は図１０に示した記録動作と同様である。
【００３５】
図１３及び図１４に示した実施例においても、ステップＳ２７ａによってバッファアンダーランが検出されるまでの時間だけ次のステップＳ２８の実行が遅延されるので、現在の記録領域ＭＡの最終アドレスまでをそれに対応した記録条件でイメージデータを確実に書き終えることができる。
また、ＤＶＤライタはデータ書込中においては膨大なデータの処理やレーザパワー関係の温度補償等の複雑な処理を行うため、記録パワー等の記録条件の切り換えを受け付けない場合が起こり得る。しかしながら、上記した各実施例においては、ステップＳ２７のバッファアンダーランを引き起こすだけの時間待ちを行うことにより、或いはステップＳ２７ａでバッファアンダーランの検出を行うことにより、データバッファ８に転送したイメージデータ等の情報データを全て書き終えてから記録条件の切り換えが行われる。よって、ＤＶＤライタはデータ書込中における処理負荷を減少させることができ、記録条件の切り換えの指令を確実に受け付けることができる。
【００３６】
また、上記した各実施例においては、記録条件として複数の記録領域毎のレーザビームの記録パワー及びバイアスパワー又は記録パワー、消去パワー及びバイアスパワーが設定されているが、本発明はこれに限定されない。記録条件としてＣＰＵ９からの指令に応じてストラテジ生成回路６から出力されるライトパルスのパルス幅を用いて良い。また、光ディスク１３の記録面のレーザビームの照射位置における法線とレーサビームの光軸方向とのなすチルト角を用いても良い。更に、フォーカスサーボ回路のオフセット値或いはトラッキングサーボ回路のオフセット値を用いて記録条件を設定することもできる。
【００３７】
【発明の効果】
以上の如く、本発明によれば、複数の記録領域に情報データを記録手段によって互いに異なる記録条件にて適切に記録することができる。特に、各記録領域において最終アドレスまでそれに対応した記録条件で情報データが確実に記録される。
【図面の簡単な説明】
【図１】本発明を適用した情報記録装置の構成を示すブロック図である。
【図２】図１の装置中のＬＤドライバの構成を示すブロック図である。
【図３】アナログ処理回路の構成を示すブロック図である。
【図４】プリピット検出回路によるＬＰＰ成分の検出を示す波形図である。
【図５】光ディスクの記録面の各エリアを示す図である。
【図６】図１の装置の動作を示すフローチャートである。
【図７】ＤＶＤ−Ｒの場合の記録条件とその目標値とを示す図である。
【図８】ＤＶＤ−ＲＷの場合の記録条件とその目標値とを示す図である。
【図９】ＤＶＤ−ＲＷの場合の記録条件とその目標値とを示す図である。
【図１０】図６のフローチャートのうちの記録動作を具体的に示すフローチャートである。
【図１１】ＤＶＤ−Ｒの場合の記録データに対応したライトパルス波形及び各パワー変化を示す図である。
【図１２】ＤＶＤ−ＲＷの場合の記録データに対応したライトパルス波形及び各パワー変化を示す図である。
【図１３】本発明の他の実施例を示すブロック図である。
【図１４】図１３の装置の場合の記録動作を示すフローチャートである。
【符号の説明】
１  ピックアップ
２  アナログ処理回路
３  ＤＶＤデコーダ
４  ＬＰＰデコーダ
５  ＬＤドライバ
６  ストラテジ生成回路
７  ＤＶＤエンコーダ
８  バッファメモリ
９  ＣＰＵ
１０  ＳＣＳＩ−ＩＦ回路
１１  システムコントローラ
１３  光ディスク
【図１】
0003838493.tif 000002
【図２】
0003838493.tif 000003
【図３】
0003838493.tif 000004
【図４】
0003838493.tif 000005
【図５】
0003838493.tif 000006
【図６】
0003838493.tif 000007
【図７】
0003838493.tif 000008
【図８】
0003838493.tif 000009
【図９】
0003838493.tif 000010
【図１０】
0003838493.tif 000011
【図１１】
0003838493.tif 000012
【図１２】
0003838493.tif 000013
【図１３】
0003838493.tif 000014
【図１４】
0003838493.tif 000015